(57)【要約】【課題】安価で、且つ正面視以外の視野でも白っぽくならず見やすい液晶表示付き装置を提供すること。【解決手段】液晶表示ユニット１の表示画面１０を透明液晶保護カバー２で覆って成る液晶表示付き装置において、表示画面１０と透明液晶保護カバー２相互間に透明部材３を介在させると共に前記透明部材３を表示画面１０及び透明液晶保護カバー２に密着させてある。透明部材３を表示画面１０及び透明液晶保護カバー２に密着させる理由は、表示画面１０と透明液晶保護カバー２との間に光の乱反射の原因となる空気層が形成されないようにするためである。なお、前記透明液晶保護カバー２の外表面にＡＲコートを施すことができる。【選択図】　図１
2004061568.tif 000002
【特許請求の範囲】
【請求項１】
液晶表示ユニット１の表示画面１０を透明液晶保護カバー２で覆って成る液晶表示付き装置において、表示画面１０と透明液晶保護カバー２相互間に透明部材３を介在させると共に前記透明部材３を表示画面１０及び透明液晶保護カバー２に密着させてあることを特徴とする液晶表示付き装置。
【請求項２】
透明液晶保護カバー２の外表面にＡＲコートを施してあることを特徴とする請求項１記載の液晶表示付き装置。
【発明の詳細な説明】
【０００１】
【発明の属する技術分野】
この発明は、携帯用の各種電子ゲーム機器、電子通信機器等の小型電子機器、その他の液晶表示付き装置に関するものである。
【０００２】
【従来の技術】
液晶表示ユニットとこれの表示画面を覆って保護する透明液晶保護カバーは、別々の部品として構成されており、液晶表示ユニットへの透明液晶保護カバーの組み付け状態では、これら両者間には微小ながら空気層が形成された状態となっている。
【０００３】
したがって、透明液晶保護カバーを通過あるいは反射した光は、表示画面及び透明液晶保護カバー表面で屈折すると共に、表示画面と透明液晶保護カバーとの間の空気層で乱反射し、このため透明液晶保護カバーを通して見た表示画面は正面視以外の視野では白っぽくなり見ずらいという問題があった。
【０００４】
なお、従来は、上記のような事態を解消するため、反射防止コーティングの一つであるＡＲコート（屈折立の異なる二種類の物質を二重に表示画面や透明液晶保護カバーの裏面にコーティングする）を施すようにしていたが、ＡＲコートは高価であるため装置自体が高コストになってしまう。
【０００５】
近年、液晶表示ユニットを取り扱う業界では、安価で、且つ正面視以外の視野でも白っぽくならず見やすい液晶表示付き装置が開発されることを待ち望んでいる。
【０００６】
【発明が解決しようとする課題】
そこで、この発明では、安価で、且つ正面視以外の視野でも白っぽくならず見やすい液晶表示付き装置を提供することを課題とする。
【０００７】
【課題を解決するための手段】
（請求項１記載の発明）
この発明の液晶表示付き装置は、液晶表示ユニット１の表示画面１０を透明液晶保護カバー２で覆って成る液晶表示付き装置において、表示画面１０と透明液晶保護カバー２相互間に透明部材３を介在させると共に前記透明部材３を表示画面１０及び透明液晶保護カバー２に密着させてある。
【０００８】
この発明の液晶表示付き装置では、表示画面１０と透明液晶保護カバー２相互間に透明部材３を介在させると共に前記透明部材３を表示画面１０及び透明液晶保護カバー２に密着させてあるから、表示画面１０と透明液晶保護カバー２相互間には空気層は存在せず、よって透明液晶保護カバー２を通過した光は、表示画面１０と透明液晶保護カバー２との間で乱反射しない。
【０００９】
したがって、透明液晶保護カバー２を通して見た表示画面１０は正面視以外の視野でも白っぽくならず見やすい。
【００１０】
また、表示画面１０と透明液晶保護カバー２には高価なＡＲコートを施す必要がなくなるから、安価に製造できる。
【００１１】
つまり、この発明の液晶表示付き装置では、安価で、且つ正面視以外の視野でも白っぽくならず見やすいものとなる。
（請求項２記載の発明）
この発明の液晶表示付き装置は、請求項１記載の発明に関し、透明液晶保護カバー２の外表面にＡＲコートを施してある。
【００１２】
この発明の液晶表示付き装置では、透明液晶保護カバー２の外表面にＡＲコートを施してあるから、請求項１記載の液晶表示付き装置よりも、更に表示画面は正面視以外の視野でも見やすいものとなる。
【００１３】
【発明の実施の形態】
この発明の実施形態の液晶表示付き装置を図面に従って説明する。
〔実施形態１〕
図１は、この発明の実施形態の液晶表示付き装置Ｓの概略図である。
（この液晶表示付き装置Ｓの基本構造について）
この実施形態の液晶表示付き装置Ｓは、図１に示すように、液晶表示ユニット１の表示画面１０を透明液晶保護カバー２で覆って形成してあり、表示画面１０と透明液晶保護カバー２相互間に透明部材３を介在させると共に前記透明部材３を表示画面１０及び透明液晶保護カバー２に密着させて構成してある。
（液晶表示ユニット１について）
液晶表示ユニット１は、図１に示すように、表面にガラス基板１１が配置されているものが採用されている。
（透明液晶保護カバー２について）
透明液晶保護カバー２は、光の透過性が優れた透明のアクリルやポリカーボネート製のボードで構成されており、液晶表示ユニット１よりも大きく形成すると共に、外圧から液晶表面にかかる歪み変化率を低減させて液晶の割れを防ぐ厚みに設定してある。
【００１４】
なお、透明液晶保護カバー２の具体的な厚みは、携帯電話のような表示画面１０の面積の小さいものの場合には０．８〜１．０ｍｍ程度に、３インチ程度の表示画面１０を有するゲーム機の場合には１．５〜３．０ｍｍ程度に、それぞれ設定される。画面が大きくなればなるほど透明液晶保護カバー２の厚みは大きくなる。
（透明部材３について）
透明部材３は、表示画面１０と透明液晶保護カバー２相互間に空気層ができないようにするためのものであり、以下の▲１▼〜▲３▼に示すような方法を採ることができる。
▲１▼．液晶表示ユニット１の表示画面１０と透明液晶保護カバー２との間に、図２に示すように、高透明で柔軟性を有するシリコンシート３０を挟み込む。このシリコンシート３０は、平面度を上げて成るものであり、表裏面が表示画面１０と透明液晶保護カバー２に対して面で吸着させるようにしている。
▲２▼．液晶表示ユニット１の表示画面１０と透明液晶保護カバー２との間に、高透明な両面テープ３２、高透明なシリコンシート３１（又はアクリルシート）、高透明な両面テープ３２の順に挟み込み、両面テープ３２，３２を介してシリコンシート３１を表示画面１０と透明液晶保護カバー２に貼付している。前記両面テープ３２，３２は柔軟性を有するものとしてあり、両面テープ３２，３２を介してシリコンシート３１を表示画面１０と透明液晶保護カバー２に密着した状態となっている。
▲３▼．液晶表示ユニット１の表示画面１０と透明液晶保護カバー２との間に、高透明シリコン系（アクリル系）接着剤３３を流し込み、内部に空気層ができないようにして両者を接着する。
▲４▼．上記▲１▼〜▲３▼に示した以外の方法であっても、透明部材３が表示画面１０と透明液晶保護カバー２と密着して空気層ができないものであれば、全ての方法が採用できる。
（この液晶表示付き装置Ｓの機能について）
この液晶表示付き装置では、表示画面１０と透明液晶保護カバー２相互間には空気層は存在しないので、透明液晶保護カバー２を通過した光は、表示画面１０と透明液晶保護カバー２との間で乱反射せず、透明液晶保護カバー２を通して見た表示画面１０は正面視以外の視野でも白っぽくならず見やすい。
【００１５】
また、表示画面１０と透明液晶保護カバー２には高価なＡＲコートを施す必要がなくなるから、安価に製造できる。
【００１６】
さらに、透明液晶保護カバー２の具体的な厚みは、例えば、携帯電話のような表示画面１０の面積の小さいものの場合には０．８〜１．０ｍｍ程度に、３インチ程度の表示画面１０を有するゲーム機の場合には１．５〜３．０ｍｍ程度に、それぞれ設定されるから、ポケットに入れた状態で透明液晶保護カバー２に外圧が作用した場合でも液晶表示ユニット１の表示画面１０の割れを防ぐことができる。
【００１７】
すなわち、この液晶表示付き装置Ｓでは、▲１▼安価で、▲２▼耐久性があり、▲３▼正面視以外の視野でも白っぽくならず見やすい、という非常に優れた機能を有している。
〔他の実施態様〕
上記実施形態１の液晶表示付き装置において、透明液晶保護カバー２の外表面にＡＲコートを施すようにしてもよい。この場合、上記実施形態１と比較して、更に正面視以外の視野でも白っぽくならず見やすいものとなる。
【００１８】
【発明の効果】
この発明は上記のような構成であるから次の効果を有する。
【００１９】
発明の実施の形態の欄に記載した内容から、安価で且つ、正面視以外の視野でも白っぽくならず見やすい液晶表示付き装置を提供できた。
【図面の簡単な説明】
【図１】この発明の実施形態の液晶表示付き装置の概略図。
【図２】前記液晶表示付き装置を構成する表示画面と透明液晶保護カバー相互間に透明部材の形成方法１の説明図。
【図３】前記液晶表示付き装置を構成する表示画面と透明液晶保護カバー相互間に透明部材の形成方法２の説明図。
【図４】前記液晶表示付き装置を構成する表示画面と透明液晶保護カバー相互間に透明部材の形成方法３の説明図。
【符号の説明】
Ｓ　　　液晶表示付き装置
１　　　液晶表示ユニット
２　　　透明液晶保護カバー
３　　　透明部材
１０　　表示画面
【図１】
2004061568.tif 000003
【図２】
2004061568.tif 000004
【図３】
2004061568.tif 000005
【図４】
2004061568.tif 000006